【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
少なくとも１つの第１スピーカーを備えるディスプレイ装置と、前記ディスプレイ装置と少なくとも１つの第２スピーカーとが接続可能な音声処理装置とを備える音声再生システムであって、
前記音声処理装置が、
前記第２スピーカーからテスト信号を再生させ、聴取者の位置に配置されるマイクロフォンによって当該テスト信号を受信することにより、前記第２スピーカーのテスト信号到達時間を測定し、前記第１スピーカーから再生されるテスト信号を前記マイクロフォンによって受信することにより、前記第１スピーカーのテスト信号到達時間を測定する測定手段と、
前記第１スピーカーのテスト信号到達時間と、前記第２スピーカーのテスト信号到達時間とに基づいて、前記第１スピーカーから再生される第１チャンネル音声データの遅延時間および前記第２スピーカーから再生される第２チャンネル音声データの遅延時間の少なくとも１つを算出して記憶する遅延時間管理手段と、
前記テスト信号を前記ディスプレイ装置に送信するテスト信号送信手段と、
前記遅延時間管理手段に記憶されている遅延時間に基づいて、マルチチャンネル音声データに含まれている前記第１チャンネル音声データおよび前記第２チャンネル音声データの少なくとも１つを遅延させる遅延処理手段と、
前記第１チャンネル音声データを前記ディスプレイ装置に送信し、前記第２チャンネル音声データを前記第２スピーカーから再生させる第１再生手段とを有し、
前記ディスプレイ装置が、
前記第１再生手段から送信された前記第１チャンネル音声データを受信し、前記第１スピーカーから再生させる第２再生手段と、
前記テスト信号送信手段から送信された前記テスト信号を受信し、前記第１スピーカーから前記テスト信号を再生させるテスト信号再生手段とを有する、音声再生システム。
【請求項２】
前記音声処理装置が、マルチチャンネル音声データに含まれている第３チャンネル音声データを再生する第３スピーカーがさらに接続可能であり、
前記音声処理装置が、前記第１スピーカーを使用可能であるか否かを判断するスピーカー判断手段と、
前記第１スピーカーを使用不可能であると判断されたとき、前記遅延時間管理手段が、
前記第２スピーカーのテスト信号到達時間と、前記第３スピーカーのテスト信号到達時間とに基づいて、前記第２スピーカーから再生される前記第２チャンネル音声データの遅延時間および前記第３スピーカーから再生される前記第３チャンネル音声データの遅延時間の少なくとも１つを算出して記憶し、
前記第１スピーカーを使用可能であると判断されたとき、前記遅延時間管理手段が、前記第１スピーカーのテスト信号到達時間と、前記第２スピーカーのテスト信号到達時間と、前記第３スピーカーのテスト信号到達時間とに基づいて、前記第１スピーカーから再生される前記第１チャンネル音声データの遅延時間、前記第２スピーカーから再生される前記第２チャンネル音声データの遅延時間および前記第３スピーカーから再生される前記第３チャンネル音声データの遅延時間の少なくとも１つを算出して記憶する、請求項１に記載の音声再生システム。
【請求項３】
少なくとも１つの第１スピーカーを備えるディスプレイ装置と、前記ディスプレイ装置と少なくとも１つの第２スピーカーとが接続可能な音声処理装置とを備える音声再生システムであって、
前記音声処理装置が、
前記第２スピーカーからテスト信号を再生させ、聴取者の位置に配置されるマイクロフォンによって当該テスト信号を受信することにより、前記第２スピーカーの聴取者の位置における音量レベルを測定し、前記第１スピーカーから再生されるテスト信号を前記マイクロフォンによって受信することにより、前記第１スピーカーの聴取者の位置における音量レベルを測定する測定手段と、
前記第１スピーカーの聴取者の位置における音量レベルと、前記第２スピーカーの聴取者の位置における音量レベルとに基づいて、前記第１スピーカーから再生される第１チャンネル音声データの音量補正レベルおよび前記第２スピーカーから再生される第２チャンネル音声データの音量補正レベルの少なくとも１つを算出して記憶する音量補正レベル管理手段と、
前記音量補正レベル管理手段に記憶されている音量補正レベルに基づいて、前記第１チャンネル音声データの音量レベルおよび前記第２チャンネル音声データの音量レベルを算出する音量レベル算出手段と、
前記音量レベル算出手段によって算出された前記第２スピーカーに対する音量レベルに設定され、前記第２チャンネル音声データの音量レベルを調整する第１音量調整手段と、
前記音量レベル算出手段によって算出された前記第１スピーカーに対する音量レベルを前記ディスプレイ装置に送信する音量レベル送信手段と、
前記テスト信号を前記ディスプレイ装置に送信するテスト信号送信手段と、
前記第１チャンネル音声データを前記ディスプレイ装置に送信し、前記第２チャンネル音声データを前記第２スピーカーから再生させる第１再生手段とを有し、
前記ディスプレイ装置が、
前記音量レベル送信手段から送信された前記第１スピーカーに対する音量レベルに設定され、前記第１チャンネル音声データの音量レベルを調整する第２音量調整手段と
前記第１チャンネル音声データを前記第１スピーカーから再生させる第２再生手段と、
前記テスト信号送信手段から送信された前記テスト信号を受信し、前記第１スピーカーから再生させるテスト信号再生手段とを有する、音声再生システム。
【請求項４】
前記ディスプレイ装置が、前記音量レベル送信手段から送信された前記第１スピーカーに対する音量レベルに設定される直前に前記第２音量調整手段に設定されていた元音量レベルを前記音声処理装置に送信する元音量レベル送信手段をさらに有し、
前記音声処理装置が、前記元音量レベルを受信して記憶する元音量レベル記憶手段と、
前記測定手段が前記第１スピーカーの聴取者の位置における音量レベルを測定した後、
前記元音量レベル記憶手段に記憶されている前記元音量レベルを前記ディスプレイ装置に返信する元音量レベル返信手段とをさらに有し、
返信された前記元音量レベルを受信したとき、前記第２音量調整手段の音量レベルが前記元音量レベルに再度設定される、請求項３に記載の音声再生システム。
【請求項５】
前記音声処理装置が、マルチチャンネル音声データに含まれている第３チャンネル音声データを再生する第３スピーカーがさらに接続可能であり、
前記音声処理装置が、前記第１スピーカーを使用可能であるか否かを判断するスピーカー判断手段と、
前記第１スピーカーを使用不可能であると判断されたとき、前記音量補正レベル管理手段が、前記第２スピーカーの聴取者の位置における音量レベルと、前記第３スピーカーの聴取者の位置における音量レベルとに基づいて、前記第２スピーカーから再生される前記第２チャンネル音声データの音量補正レベルおよび前記第３スピーカーから再生される前記第３チャンネル音声データの音量補正レベルの少なくとも１つを算出して記憶し、
前記第１スピーカーを使用可能であると判断されたとき、前記音量補正レベル管理手段が、前記第１スピーカーの聴取者の位置における音量レベルと、前記第２スピーカーの聴取者の位置における音量レベルと、前記第３スピーカーの聴取者の位置における音量レベルとに基づいて、前記第１スピーカーから再生される前記第１チャンネル音声データの音量補正レベル、前記第２スピーカーから再生される前記第２チャンネル音声データの音量補正レベルおよび前記第３スピーカーから再生される前記第３チャンネル音声データの音量補正レベルの少なくとも１つを算出して記憶する、請求項３に記載の音声再生システム。
【請求項６】
請求項１〜５のいずれかに記載の音声再生システムに使用される前記音声処理装置。
【請求項７】
請求項１〜５のいずれかに記載の音声再生システムに使用される前記ディスプレイ装置。